(57)【要約】  本発明は、半径方向外方に突出した固定カラー（１６）を具備した先端を有する管状注射器本体（４）、注射器本体（４）内を摺動するように取り付けられた注射ピストン（８）を含む注入注射器（１）、プロテクタ支持体（２０）および摺動針プロテクタ（２２）を含む針保護装置（２）を含む注射装置に関する。注射装置は、注射ピストン（８）停止のためのストップピン（２５）を含み、ストップピン（２５）はプロテクタ支持体（２０）上に取り付けられかつ注射器本体（４）の延長内にピストン循環路（２５Ｂ）を形成し、その最小部分はピストンの走行部（１０）の部分よりも大きくかつピストンのショルダ（１５）の部分よりも小さい。
2008510546.tif 000002
【特許請求の範囲】
【請求項１】
半径方向外方に突出した固定カラー（１６）を基端に具備した管状注射器本体（４）、および
管状注射器本体（４）の基端から注射器本体（４）へ侵入することにより注射器本体（４）内を摺動するように取り付けられた注射プランジャ（８）を含む注入注射器（１）、ならびに
注射器本体（４）を受けるための導管を形成するプロテクタ支持体（２０）であって、注射器本体（４）をプロテクタ支持体（２０）に対して軸方向に固定するための手段（３０）を有するプロテクタ支持体（２０）、および
後退位置と前進位置間でプロテクタ支持体（２０）に対して移動自在に取り付けられた針プロテクタ（２２）を含む針保護装置（２）を含む注射装置において、
前記注射プランジャ（８）は、管状注射器本体（４）に係合しかつ注射プランジャ（８）の共通部（１０）を介して基端へ伸長した先端（１４）を含み、注射プランジャ（８）の先端（１４）と注射プランジャ（８）の共通部（１０）との間に形成され、基端へ向かって回転したショルダ（１５）を含み、かつ
前記注射プランジャ（８）は、注射プランジャ（８）を停止させるためのストップクリップ（２５）を含み、
前記ストップクリップ（２５）はプロテクタ支持体（２０）により担持されかつ注射器本体（４）の延長内に注射プランジャ（８）の移動路（２５Ｂ）を形成し、その最小部分は注射プランジャ（８）の共通部（１０）の部分よりも大きくかつ注射プランジャ（８）のショルダ（１５）の部分よりも小さい、ことを特徴とする注射装置。
【請求項２】
前記ストップクリップ（２５）は半径方向に開放した切欠き（２５Ｂ）を形成し、かつそのベース（２５Ｃ）は注射プランジャ（８）の移動路を形成している、ことを特徴とする請求項１の注射装置。
【請求項３】
前記切欠きを形成するストップクリップ（２５）を分離する距離は、注射プランジャ（８）の共通部（１０）の直径よりも大きくかつ注射器本体（４）の内部よりも小さくなるように選択されている、ことを特徴とする請求項２の注射装置。
【請求項４】
前記プロテクタ支持体（２０）は軸方向の固定のためにストップクリップ（２５）と弾性により相互係止する相互係止手段（３２）を含む、ことを特徴とする請求項１から３のいずれか１の注射装置。
【請求項５】
前記相互係止手段はプロテクタ支持体（２０）により担持された複数のクリック係止突起（３２）を含み、複数のクリック係止突起（３２）間の距離は注射器本体（４）の部分よりも大きくて、注射器本体（４）とプロテクタ支持体（２０）との自由係合を可能にする、ことを特徴とする請求項４の注射装置。
【請求項６】
弾性を付与するためにオリフィス（３４）がクリック係止突起（３２）に沿って形成されている、ことを特徴とする請求項５の注射装置。
【請求項７】
前記プロテクタ支持体（２０）は基端に向かう注射器本体（４）を軸方向に支持するためのストップ（２９）を含み、かつ注射器本体（４）のカラー（１６）がプロテクタ支持体（２０）のストップ（２９）とストップクリップ（２５）との間で軸方向において制限されるように、ストップクリップ（２５）は基端に向かうプロテクタ支持体（２０）に軸方向で連結されかつ基端に向かうカラー（１６）を停止させるストップを形成している、ことを特徴とする請求項１から６のいずれか１の注射装置。
【請求項８】
前記ストップクリップ（２５）は円形外形を有する、ことを特徴とする請求項１から７のいずれか１の注射装置。
【発明の詳細な説明】
【技術分野】
【０００１】
本発明は、半径方向外方に突出した固定カラーを基端に具備した管状注射器本体、および
前記注射器本体の基端から注射器本体へ導入されることにより注射器本体内を摺動するように取り付けられた注射プランジャを含む注入注射器（１）、ならびに
前記注射器本体を受けるための導管を形成するプロテクタ支持体であって、前記注射器本体をプロテクタ支持体に対して軸方向に固定するための手段を有するプロテクタ支持体、および
後退位置と前進位置間で前記プロテクタ支持体に対して移動自在に取り付けられた針プロテクタを含む針保護装置に関する。
【０００２】
本発明は、特に、筋内または皮下注射のための、特に予充填された使い捨て注入注射器の分野に関する。
【０００３】
上述装置は、注射器の内容物が一旦注射されると注射器の針は患者から引き出されかつ針のプロテクタは針の注射端から先方の延長位置へ自動的に運搬されることにより、注射後に偶発的に使用者に突き刺さる危険を最小限にすることを意図する。
【背景技術】
【０００４】
この種の保護装置は、特にＦＲ２８３７１０７特許に記載されている。
【０００５】
この装置において、針保護装置は注射器本体へ取り付けられる。この目的から、針保護装置は、注射器が係合する円筒路を画定するプロテクタ支持体を含む。プロテクタ支持体は、先端に設けられた周辺フランジから注射器本体を固定するために基端に弾性相互係止手段を含む。
【０００６】
筋内注射を実施するために、針を突き刺した開業医は、静脈でなく、意図した筋肉であることをチエックするために『静脈テスト』をしばしば実行する。このテストを実行するために、開業医は注射器のプランジャを後方へ引く。引っ張りが過剰である場合には、プランジャは注射器本体から完全に離脱し、注射器内の液体は空気と接触することになるので、注射装置を完全に使用不可能にしてしまう。
【０００７】
ＦＲ２８３７１０７特許に記載の装置は、プランジャの過剰引き抜きの場合に注射器本体からプランジャが離脱する問題を解決していない。
【０００８】
かかる危険は、親液物質の取り上げ時に存在する。即ち、注射直前に調合された即時調合剤の針から注射器本体への吸引時に発生する。
【０００９】
【特許文献１】ＦＲ２８３７１０７
【特許文献２】ＦＲ２８３７１０７
【発明の開示】
【発明が解決しようとする課題】
【００１０】
本発明の課題は、針保護装置を装備し、かつプランジャ上に加わる引き抜きにより注射器本体からプランジャを引き出す危険を少なくする注射装置を提案することにある。
【課題を解決するための手段】
【００１１】
従って、本発明は、上述タイプの注射装置に関し、注射プランジャが、注射器本体に係合しかつ前記注射プランジャの共通部を介して基端へ伸長した先端を含み、前記注射プランジャの先端と共通部との間に形成され基端へ向かって回転するショルダを含み、かつ
前記注射プランジャは、注射プランジャを停止させるためのストップクリップを含み、前記ストップクリップはプロテクタ支持体により担持されかつ前記注射器本体の延長内に注射プランジャの移動路を形成し、その最小分部は前記注射プランジャの共通部の部分よりも大きくかつ前記注射プランジャのショルダの部分よりも小さい、ことを特徴とする。
【００１２】
前記装置の他の特徴によれば、単独で、または技術的に実現可能な組み合わせにより、前記ストップクリップは半径方向に開放した切欠きを形成し、かつそのストップクリップのベースは前記注射プランジャの移動路を形成している。
【００１３】
前記プロテクタ支持体は軸方向の固定のために前記ストップクリップと弾性により相互係止する弾性相互係止手段を含む。
【００１４】
前記弾性相互係止手段は前記プロテクタ支持体により担持された複数のクリック係止突起を含み、複数のクリック係止突起間の距離は注射器本体の部分よりも大きくて、前記注射器本体と前記プロテクタ支持体との自由係合を可能にする。
【００１５】
弾性を付与するためにオリフィスが前記クリック係止突起に沿って形成されている。
【００１６】
前記プロテクタ支持体は基端に向かう前記注射器本体を軸方向に支持するためのストップを含み、かつ前記注射器本体のカラーが前記プロテクタ支持体のストップと前記ストップクリップとの間で軸方向に制限されるように、前記ストップクリップは基端に向かう前記プロテクタ支持体に軸方向で連結されかつ基端に向かうカラーを停止させるストップを形成している。
【００１７】
前記ストップクリップは円形外形を有する。
【発明を実施するための最良の形態】
【００１８】
本発明は、例示として提供される添付図面を参照して次の説明を読むことにより良く理解されるであろう。
【００１９】
図１は注射器１および保護ユニット２により形成される注射装置の斜視図である。本明細書において『基』および『後』の用語『先』および『前』の用語は類義語として使用されている。
【００２０】
注射器は標準的形状のガラス注射器でありかつ一回使用が意図されている。注射器は筋肉内または皮下に注射される液体を収容する。従って、特に図６に図示されたように、本体４および針６を有する。針は本体４の先端にフェルール７により連結される。
【００２１】
注射器は本体４に係合するプランジャ８を更に含む。このプランジャは、従来から、図６に示されたように先端に設けられたプ突出部１２、および実施者が親指を載せるための支持ヘッド１４を備えたロッド１０を含む。
【００２２】
ロッド１０は、共通部において、プ突出部１２よりも小さい断面を有し、そのようにして図６に示されたように周辺ショルダ１５をプ突出部１２上でロッド１０の周囲に形成している。
【００２３】
注射器本体４は、基端部にカラー１６を有し、カラー１６は、特にユニット２が存在しない場合に、注射器を取り扱いかつ液体を注入するときに実施者の人指し指と中指に対する支持面を形成するために、通常意図された直径方向に対峙する二つの突出部１８を周辺に形成する。
【００２４】
初期に、針６はフェルール７上に係合することによって注射器の本体に固定された可動キャップ１９により保護されている。
【００２５】
図１に示されたように、保護ユニット２は共通軸Ｘ−Ｘを有し、基本的に、
−概ね管状の支持体２０、
−支持体２０と同軸に配置されかつた支持体２０よりも大きい直径を有する保護スリーブ２２、
−ばね２４、および
−プランジャを停止させかつ保護ユニットに注射器を取り付けるためのストップクリップ２５を含む。
【００２６】
これらの要素は、図２から４を参照して以下に詳細に説明される。
【００２７】
支持体２０は、注射器本体４の外径に実質的に等しい内径を有する実質的筒状主部２６を有する。この主部２６は、直径方向に対峙する二つの長手凹部２６Ａを有する。主部２６は基端で主部２６よりも大きい内径および外径を有する第二部２８により拡大し、半径方向のショルダ２９を形成している。第二部２８は注射器のカラー１６の最大直径よりも大きい内径を有する。
【００２８】
第二部、即ち基端部２８は、図６に示されたように、ストップクリップ２５がショルダ２９とストップクリップ２５との間で注射器のカラー１６を囲むようにストップクリップ２５を固定するための手段３０を具備する。
【００２９】
ストップクリップ２５は、図４に示されたように、平面的でありＵ字を形成するように中空ディスクに形成されている。ストップクリップ２５は、円形外形２５Ａにより周辺が画定され、その直径は第二部２８の内径よりもほんの僅かに小さい。ストップクリップ２５は、中心から先方でクリップを形成するディスクに係合する切欠き２５Ｂを有する。この切欠き２５Ｂはストップクリップを形成するディスクの周辺で半径方向に開放している。ストップクリップ２５は半円形ベース２５Ｃ、およびベース２５Ｃに延びた二つの平行リップ２５Ｄを有する。リップ２５Ｄは、切欠き２５Ｂが開放端の周辺で広がるように、分岐面２５Ｅによりディスクの周辺２５Ａまで延在する。
【００３０】
ベース２５Ｂの直径、およびリップ２５Ｄを分離する距離は、共にＤにより示され、プランジャのロッドである共通部１０の直径よりも大きくかつロッド１０を拡大した突出部１２の直径よりも小さいように選択される。直径Ｄは、従って、注射器本体４の内部よりも小さい。
【００３１】
固定手段３０は直径方向に対峙する変形自在のフック３２を有し、フック３２はプロテクタ支持体２０の第二部２８により担持されている。フック３２は、特に図１および５から理解できる。直径方向に対峙するフックを分離する距離は、クリップ２５の外径よりも小さい。複数のオリフィス３４がフック３２に弾性を付与するためにフック３２に沿って第二部２８内に形成されている。
【００３２】
フックの各々は、第二部２８の自由端へ向かって広がった実質的切頭円錐形の斜面３２Ａを形成する。斜面３２Ａは、支持体２０が注射器１に固定されるときにストップクリップ２５の作用により弾性的にフックを外方へ付勢することが意図されている。フック３２はショルダ２９から、突出部１８とストップクリップ２５の加算厚に実質的等しい距離だけ離れてセットされる。このようにして、フック３２は、注射器のカラー１６を固定するためにストップクリップ２５のためのクリップ係合手段を形成する。
【００３３】
二つの十字形の貫通溝３６が形成され、主部２６において一方が他方と対面する。各溝は、針６よりも大きい長さにわたって支持体２０の軸Ｘ−Ｘに実質的に沿って延在する第一直線部３８、および同一軸Ｘ−Ｘに対して傾斜した第二直線部４０で構成される。傾斜した第二直線部４０は、第一直線部３８の基端で開いてＶ字を形成し、Ｖ字の尖端はユニット２の基端側から離れる方向を指す。
【００３４】
主部２６は、先端に一対の直径方向に対峙した弾性舌部４２を有し、舌部の各々は溝３６の延長内に位置する（図５）。舌部４２は実質的筒状の内面４２Ａ、および後方へ向かって分岐する実質的切頭円錐形の外面４２Ｂを有する。
【００３５】
主部２６は、主部の先端の周辺に沿って弾性舌部間に位置する一対の直径方向に対峙する外斜面４４を有する。外斜面は、前部に向かって分岐する実質的切頭円錐形の傾斜外面４４Ａ、および実質的平坦な先端面４４Ｂを有する。外面４４Ａは、このように凹部２６Ａに向かって回転(turn)している。
【００３６】
長手凹部２６Ａは主部２６（図３）において斜面４４の基端に形成される。
【００３７】
更に、舌部４２のいずれかの側、軸孔２６Ｂが支持体２０の先端から設けられて、支持体２０内で注射器の本体４の挿入前に、舌部４２は半径方向、特に内方へ変形可能である。
【００３８】
先端または前端で、主部２６は、プロテクタ２２とプロテクタ支持体２０とを、注射器本体上に設置される保護キャップ１９の存在において軸方向に結合するために弾性舌部４２間に更に二つの舌部４５を有する。
【００３９】
更に詳細には、図３に示されたように、舌部の各々は、主部２６を一体的に拡大する脚４５Ａを有する。各脚４５Ａは、プロテクタ内に形成され対応するオリフィスと係合することのできる突起４５Ｂを、外側に担持する。
【００４０】
突起４５Ｂは、脚４５Ａが主部２６に連結される領域から延びた脚４５Ａの長手の半分のところに設けられている。脚４５Ａはこのようにして突起４５Ｂから突出している。
【００４１】
図３に示されたように、舌部は、静止状態で、支持体２０の軸Ｘ−Ｘに向かって傾斜する。即ち舌部は相互に対して自由端の方向へ向かって集中しかつプロテクタ支持体２０によって形成される内路の延長内に延在する。
【００４２】
舌部４５は、静止位置で突起が主部２６の全体的嵩お延長内に完全に収容されるように外方へ弾性変形自在であり、他方、変形位置で、突起４５Ｂは主部２６の全体的嵩の延長を越えて半径方向外方へ突出する。
【００４３】
二つの舌部４５の自由端を分離する距離は、静止位置で保護注射器キャップ１９を固定するためにリングの最小外径よりも小さい。
【００４４】
保護スリーブ２２の長さは、注射器本体４の長さに実質的に等しい。保護スリーブ２２は二つの筒状部４６および４８で構成され、基端部４６の直径は主部４８の直径よりも僅かに大きい。二つの部は結合して放射状ショルダ４９を形成する。
【００４５】
保護スリーブ２２は基端部に直径方向に対峙する二つの突出部５２の形態の外フランジ５０を一体的に有する（図４および５）。
【００４６】
基部に、しかし保護スリーブ２２内に、直径方向に対峙する二つのスタッド５４がスリーブと共に一体化されている（図５）。二つのスタッドはそれぞれ支持体内で二つの溝３６に受けられかつ案内される。支持体およびスリーブは、このようにして、共通軸に沿って相互に対して並進運動し、かつスタッドが傾斜部４０にあるときには同一軸を中心に限定された回転で移動可能である。傾斜部４０は、そのためにスタッド５４を固定するためのポケットを形成し、このポケットは図３にｐで示された固定深さを有する。この深さはプロテクタの軸に沿って測定されている。
【００４７】
支持体２０およびスリーブ２２は、スリーブの殆どが支持体２０の殆どを覆い、かつスタッド５４が図２から８に示されたように傾斜溝部４０の各々の先端に位置決めされるようなスリーブの後退位置と、スリーブが支持体２０から軸方向に突出しかつスタッドが図１３から１５に示されたように直線溝部３８の先端に位置決めされるようなスリーブの前進位置との間で移動可能である。
【００４８】
注射器１がユニット２へ固定されるときに、端位置は、注射器１の針６が解放されかつ患者へ挿入されることが意図された注射形態と、この針が保護スリーブ２２により囲まれる保護形態とにそれぞれ対応する。
【００４９】
スリーブ２２の基端部は、更に、内側に、一対の直径方向に対峙する変形可能な長手フック５６を含む。フック５６は側孔によりスリーブ２２内に形成される。その先端はスリーブに連結される。自由基端に各フックは内突起を有する。
【００５０】
図３に示されたように、注射器の不存在下で、フック５６の外面はスリーブの延長内に延在する。他方、フックの内突起はスリーブ２２により画定された筒状路の内側へ突出する。各突起は、スリーブ２２の軸の前方へ延びた実質的切頭円錐形の前面５６Ａ  を有する。これらの前面５６Ａは、このようにして、プロテクタの前端へ向かって回転している。
【００５１】
各前面５６Ａは支持体２０の斜面４４により形成された傾斜面４４Ａと共働するように構成される。
【００５２】
自由端で、各フック５６はストップを形成する傾斜した横前部５６Ｃを有する。
【００５３】
スリーブの後退位置において、フック５６は支持体２０に形成された凹部２６内側に伸長する。スリーブの前進位置において、図１３に示されたように、フック５６の端面５６Ｃは舌部４２と軸方向で当接し、フックおよび舌部はこのようにして前進位置で堅い係止ユニットを形成する。
【００５４】
スリーブ２２は、更に、先端に変形可能舌部５８の王冠を具備し、その先端縁は実質的円形の開口６０を形成し、その直径は支持体２０の主部２６の内径よりも小さい。
【００５５】
最後に、先端で、保護スリーブの主部４８は、舌部が装置内に収容された注射器上に係合する針保護キャップ１９のリングの作用により変形するときに、第二の一対の舌部４５により担持された突起４５Ｂを受けることが可能な二つの楕円形貫通孔６２を有する。
【００５６】
キャップの不存在下で、即ち舌部４５が静止位置のときに、突起４５Ｂは全体が孔６２の外側にあって、支持体２０に対するプロテクタの自由移動を可能にする。
【００５７】
ばね２４が保護スリーブ２２とプロテクタ支持体２０との間に設置され螺旋ばねである。更に具体的には、このばねは支持体２０のショルダ２９とスリーブ２２のショルダ４９との間に収容される。
【００５８】
スリーブの後退位置において、ばね２４は圧縮状態になり、ばねの剛性、静止位置のばねの長さと圧縮位置の図２から８にＬで示された長さとの間の差に関連した減圧エネルギを有する。換言すれば、ばね２４は、図２から８に示されたように初期圧縮状態からばねを更に圧縮するために必要な最小限の力に対応する付加的圧縮力スレッショルドを有する。ばねの剛性かつ／または初期あっ植毛フィラメント長さＬは、圧縮力スレッショルドが注射器のプランジャ８を注射ストローク全体にわたって移動させるために必要なスラストよりも大きい。更に具体的には、係止状態におけるばねの力が注入力、即ち注射器１の針６から液体を放出するための力と注射器本体４内のプッシャ１２の分離および摺動のための応力との合計よりも大きい。
【００５９】
キャップ１９は概ね管状形状でありかつ図１および６に示されている。
【００６０】
キャップ１９は、注射器１の使用前には、針６を包囲するように構成されている。このキャップは一端が閉鎖し、他端が環状リング６８によって形成され、その外径は、舌部４２の表面４２Ａへの結合に適しかつ保護スリーブ２２の舌部５８によって形成された開口６０の直径よりも大きくなるように構成されている。このリング６８の内面は、針６が特に細菌の不透過度を確実にするために固定される注射器本体のガラスフェルール７に接着することが意図されている。
【００６１】
更に、キャップのリング６８の外径は、静止状態において舌部４５の自由端相互を隔てる距離より大きい。
【００６２】
本発明の注射装置は、次のように作動する。
【００６３】
保護装置２はその後退形態、即ち図２〜８の形態に組立てられる。この目的のために、保護スリーブ２２は、支持体２０の周囲を支持体の末端から、支持体との間にばね２４を挟んで摺動する。更に具体的には、スリーブ２２を支持体に対して軸方向に後方へ移動にし、同時に適宜な工具を用いて、フック５６を少なくとも軸方向に長手凹部２６Ａの前部に到達するまで半径方向外方へ変形させる。
【００６４】
次に、スリーブをなおも後方に移動させながら、スタッド５４が舌部４２の外面４２Ｂに当接し、ペグが直線部３８に受けられるまで前記舌部を変形させる。それから、プロテクタ２２を、支持体とプロテクタを相互に回動させることによって、スタッド５４が傾斜した溝部４０に受けられるまで後方へ移動させる。このようにして、プロテクタを後退位置にする。
【００６５】
ガラスの注射器１は、患者に注射される液体で予め充填されている。この注射器は注射器本体４のフェルール９を囲むキャップ１９を具えている。
【００６６】
キャップ１９を具えた注射器はユニット２の内部に挿入され、図６と７に示されているように注射装置を形成する。更に詳しくは、注射器の本体４は支持体２０内で実質的軸方向に移動する。
【００６７】
注射器本体は、注射器のカラー１６がショルダ２９に当接するまでプロテクタ内を移動させる。
【００６８】
この位置において、クリップ２５がカラー１６に取り付けられる。この目的のために、プランジャロッド１０が既にプ突出部１２に装着されている場合には、クリップ２５はプランジャロッドの周囲に係合し、プランジャロッドは切欠き内に入る。クリップ２５はロッド１０の長手に沿って移動し、主部２８と係合し、フック３２を半径方向に外方へ変形させてクリップを弾性により連結する。
【００６９】
次に、注射器カラー１６の出っ張り部１８をクリップ２５によって軸方向に固定し、クリップ自体はフック３２によって固定される。
【００７０】
注射器カラー１６は、基端部２８の内側に完全にクリップされると、実施者の人差し指と中指のための支持面を形成する通常の役割を果たすことはできない。この支持機能は、スリーブ２２と一体化されたフランジ５０によって実行される。保護スリーブ２２の長さが実質的に注射器本体４の長さに等しいか、或いはフランジ５０がこのスリーブの基端に設けられている場合には、実施者は彼の親指をプランジャ８の支持ヘッド１４上に載せ、彼の人差し指と中指を針６の方向に向いた出っ張り部５２の面上に載せることによって、注射器を操作することができる。
【００７１】
更に、図６と７に示されているように、注射器１がプロテクタ支持体２０に固定されている場合には、キャップ１９は保護スリーブ２２の外側に突出する。
【００７２】
更に、キャップのリング６８の拡大された外径は舌部４５の自由端相互間に係合し、これらを半径方向に外方へ変形させる。この変形作用によって、突起４５Ｂは貫通孔６２に受けられる。この位置において、プロテクタ支持体に担持された突起４５Ｂとプロテクタに形成された貫通孔６２との共働によって、プロテクタと支持体とが軸方向に結合され、ばねの弛緩を防ぎ、スタッド５４は係合している交差端を離れることができない。
【００７３】
実施者が注射器に収容されている液体を注射する用意をすると、彼はキャップ１９を軸方向に前方へ引っ張って外す。
【００７４】
キャップを外すために、実施者は一方の手で支持面からプロテクタを固定して注射器を保持し、他方の手でキャップ１９を引っ張ることができる。キャップを外すのに非常に高い抵抗があっても、貫通孔６２に係合している突起４５Ｂによる積極的な軸方向結合が、ばね２４が圧縮されてスタッド５４が固定交差部から外れることを防止する。
【００７５】
従って、キャップを外す際に針プロテクタが解放される危険は無い。
【００７６】
他方、図７に示されているように、舌部４５はその弾性作用によって静止位置に付き、突起４５Ａは貫通孔６２から解放されているので、プロテクタ２２は支持体２０に対して移動可能となる。
【００７７】
フェルール９からリング６８が外された後、舌部５８を変形させることによってリング６８は開口６０を通過する。キャップ１９が引き抜かれると、舌部５８は初期位置に復帰する。
【００７８】
そして、実施者は「血管」テストとして知られている作業を行う。これは、注射器が患者の動脈や静脈ではなく、筋肉内に正しく刺されたことをチェックするものである。この目的のために、プランジャ８が基端の方向へ引かれる。注射器本体内に血液が吸引された場合には、実施者は針が静脈或いは動脈に突き刺さったと判断し、針の再位置決めを始めるであろう。
【００７９】
実施者によって過剰な牽引がプランジャロッドに加えられた場合には、図９に示されているように、プ突出部１２がショルダ１５を介してクリップ２５に当接することによって、停止する。切欠き２５Ｂが、プ突出部１２の部分よりも小さい部分を有する通路を形成し、プ突出部がクリップを越えて通過することを防止する。一方、より小さい直径を有するプランジャロッド１０は切欠き２５Ｂを自由に摺動可能である。
【００８０】
したがって、クリップ２５は注射器本体４をプロテクタに固定すると共に、過剰な牽引がプ突出部１２に加えられた場合にプ突出部を停止させるストップを形成する。クリップが存在しない場合には、プ突出部は注射器本体から抜き取られ、この注射装置を使用不能にするであろう。
【００８１】
過剰な牽引が加えられた場合にプランジャを停止させることは、例えば親液物質等を針を通して注射器に充填する際にも有用である。
【００８２】
注射プロセス自体を始めるために、実施者は彼の人指し指と中指を出っ張り部５２の針の方向を向いた面に接触させた状態で、プランジャの支持ヘッド１４に押圧力を加えることによって、注射器に入った液体を押出す。注射の際には、プロテクタ支持体２０と保護スリーブ２２間での運動は無く、ばね２４は図８に示されているように長手Ｌに圧縮されている。
【００８３】
注射プロセスは、プランジャ８のプッシャ１２が注射ストロークの終わりに達するまで継続される。
【００８４】
そして、実施者は患者から針を引き抜く。保護ユニット２を解放するために、実施者はプランジャロッド８を更に加圧する。この圧力は係止状態のばね２４によって生じる所定の力よりも大きく、ばねは図１０〜１２に示されているように、その長さＬから短い長さＬ’まで更に圧縮される。これを行うために、固定された注射器を仮定すると、保護スリーブ２２は支持体２０の基端の方向へ軸方向に移動する。実施者は彼の人差し指と中指を用いて、スリーブ２２のフランジ５０の出っ張り部５２に対応する圧力を加えることによって、この運動を行う。この圧力は、並進運動と組合せて保護スリーブ２を注射器支持体２０を中心に回転させ、スタッド５４を傾斜溝部４０によって案内する。保護スリーブ２の回転運動は、図１１に示されているように、スタッドが傾斜溝部４０の基端、即ち長手方向の溝部３８の基端に到達するまで継続する。そして、装置２はばね２４の係止を解除する位置に付く。
【００８５】
次に、実施者はフランジ５０に以前に加えられていた圧力を解除して、ばね２４を静止状態に弛緩させる。スタッド５４は、図１３〜１５に示されているように、長手方向溝部３８内を末端まで平行移動させる。実施者はフランジ５０上の彼のグリップを徐々に解放することによって、支持体２０に対する保護スリーブ２２の平行運動を制御することができる。スタッド５４が溝３６（図１５）の末端に達すると、プロテクタ３６は前進位置になる。
【００８６】
更に、保護スリーブ２２が支持体２０に対して平行移動すると、フック５６は、対応する面５６Ａと４４Ａの共働によって、支持体の末端４４に沿って摺動するまで、長手方向凹部２６Ａに支持される。
【００８７】
針プロテクタの前進位置において、フック５６は面５６Ｃと４４Ｂの共働によって保持され、プロテクタスリーブ２２がその初期位置に運ばれることを防ぐ。同様に、スリーブ２２は支持体２０から容易に引き離されることはできない。なぜならば、スタッド５４が長手方向溝部３８の先端ベースに当接し（図１５）、このベースを形成している舌部４２が注射器１の本体と保護スリーブ２２との間に半径方向に保持されるからである。
【００８８】
本発明の注射装置は、実施者が針をカバーしている保護スリーブの運動を制御しながら容易に使用される。図示された保護ユニット２の部品点数は、三つに減少する。
【００８９】
本発明の装置は、種々のタイプの注射器に対して、形状と大きさの両方に関して適応可能である。したがって、この装置は、使用されている一般的な形状の注射器を忌避しない利点を有し、したがって、それらの注射器の充填工程に何らかの修正を加えることは不要である。
【００９０】
本発明の装置の別の例に次のようなものが考えられる。
・ 上述の実施形態とは異なり、保護スリーブ２２のスタッド５４及び/又はフランジ５０を一体化した一つの部品として形成せずに、これらをスリーブ２２に付加するようにしてもよい。
・ 前述の装置とは逆に、スタッド５４をプロテクタ支持体２０の外面上に設け、ガイド溝３６を保護スリーブ２２に形成してもよい。
・ 支持体２０を注射器本体４とワンピースで形成してよい。
【図面の簡単な説明】
【００９１】
【図１】組立前の本発明による注射装置の分解斜視図である。
【図２】図１の注射装置に関連する保護装置の後退位置の立面図である。
【図３】図２のＩＩＩ−ＩＩＩ面に沿った断面図である。
【図４】図２のＩＶ矢印の方向における平面図である。
【図５】図４のＶ−Ｖ面に沿った断面図である。
【図６】使用前の本発明による注射装置の、図５と同様の断面の図である。
【図７】図６の矢印ＶＩＩの方向における平面図である。
【図８】使用準備した注射装置の図６と同様の図である。
【図９】端位置へ引き出した注射装置のプランジャの図８と同様の図である。
【図１０】使用端での注射装置の図３同一断面の１の図である。
【図１１】注射装置の注射器が示されていない図１０と同様の図である。
【図１２】図１０に示されたＸＩＩ−ＸＩＩ面に沿った断面図である。
【図１３】前進位置の注射装置を示し、図１０と同様の図である。
【図１４】前進位置の注射装置を示し、図１３に示されたＸＩＶ−ＸＩＶ面に沿った断面図である。
【図１５】前進位置の注射装置を示し、注射器が示されていない図１３と同様の面である。
【図１】
2008510546.tif 000003
【図２】
2008510546.tif 000004
【図３】
2008510546.tif 000005
【図４】
2008510546.tif 000006
【図５】
2008510546.tif 000007
【図６】
2008510546.tif 000008
【図７】
2008510546.tif 000009
【図８】
2008510546.tif 000010
【図９】
2008510546.tif 000011
【図１０】
2008510546.tif 000012
【図１１】
2008510546.tif 000013
【図１２】
2008510546.tif 000014
【図１３】
2008510546.tif 000015
【図１４】
2008510546.tif 000016
【図１５】
2008510546.tif 000017
【国際調査報告】
2008510546.tif 000018
2008510546.tif 000019
2008510546.tif 000020
2008510546.tif 000021
2008510546.tif 000022
2008510546.tif 000023